(57)【要約】【課題】プロジェクターを出し入れする作業を必要とせず、また、投影に際して、プロジェクターの置き台を用意するなどの必要がない携行可能な投影装置を提供する。【解決手段】投影装置１は、底板部２０と底板部２０の外周縁に沿う周壁部２４と周壁部２４の外面に設けられる手提げ部２５とを有するケース体２と、ケース体２の周壁部２４に開閉可能に取り付けられる蓋体３と、ケース体２内の底板部２０上に上下変位可能に設けられる支持基板５と、支持基板５上に支持されケース体２内の空間に収容可能なプロジェクター４と、蓋体３を開く動作および閉じる動作によって支持基板５に引張力および押圧力が作用するように支持基板５と蓋体３との間を連結する連結アーム６と、プロジェクター４の投射がケース体２の周壁部２４によって遮られない高さ位置に支持基板５を定位させるストッパー機構とを備えてなるものである。【選択図】図３
2017097050.tif 000002
【特許請求の範囲】
【請求項１】
スクリーンに投射して映像を表示する投影装置であって、底板部と底板部の外周縁に沿う周壁部と周壁部の外面に設けられる手提げ部とを有するケース体と、前記ケース体の周壁部に開閉可能に取り付けられる蓋体と、前記ケース体内の底板部上に上下変位可能に設けられる支持基板と、前記支持基板上に支持され前記ケース体内の空間に収容可能なプロジェクターと、前記蓋体を開く動作および閉じる動作によって支持基板に引張力および押圧力が作用するように支持基板と蓋体との間を連結する連結アームと、前記プロジェクターの投射がケース体の周壁部によって遮られない高さ位置に前記支持基板を定位させるストッパー機構とを備えてなる投影装置。
【請求項２】
前記ストッパー機構は、ケース体の底板部と支持基板との間に設けられ、前記支持基板が上方へ変位して所定の高さ位置に達したとき、支持基板の上方への変位を規制して支持基板を定位させるものである請求項１に記載の投影装置。
【請求項３】
前記ストッパー機構は、シリンダ内に封入された高圧ガスの圧力をバネ力としてピストンロッドに作用させる一対のガススプリングにより構成されており、各ガススプリングは、シリンダの基端部とピストンロッドの先端部との一方がケース体の底板部の後端部の両側位置に、他方が支持基板の前端部の両側位置に、それぞれ支持されており、前記支持基板の上方への変位によりピストンロッドが最も伸長した状態に達したとき、前記支持基板の変位を規制して支持基板を定位させる請求項１または２に記載の投影装置。
【請求項４】
前記支持基板は、支持基板とケース体の底板部との間に設けられる伸縮自在な支持機構により支持されており、前記支持機構は、支持基板を水平姿勢を保った状態で上下方向へ変位させる左右一対のリンク機構により構成されている請求項１に記載の投影装置。
【請求項５】
前記連結アームは、端部の一方が支持基板に、他方が蓋体にそれぞれ連結されており、少なくとも一端部が支持基板または蓋体より分離可能となっている請求項１に記載の投影装置。
【請求項６】
前記ケース体は、支持基板の下方にプロジェクターの周辺器具を収容する収容空間を有しており、その収容空間に、パソコンよりデータを無線で受信する無線ＬＡＮ装置と、無線ＬＡＮ装置による受信データを視聴可能な信号に変換してプロジェクターに与える信号変換装置とが収納されている請求項１に記載の投影装置。
【請求項７】
請求項１〜６のいずれかに記載の投影装置であって、ケース体の外面に、下部にキャスター、上部にハンドルを備えた運搬補助具が着脱自在に取り付けられる投影装置。
【発明の詳細な説明】
【技術分野】
【０００１】
この発明は、スクリーンに投射して映像を表示するのに用いられる投影装置に関し、この発明は特に、プレゼンテーションを実施する会場などへ携行することが可能な投影装置に関する。
【背景技術】
【０００２】
近年、コンピューターを使って画像や文字をスクリーンに表示しながらプレゼンテーションを実施することが一般に行われている。設備が整った会場では、ノート型のパソコンとその周辺機器とを持参し、出先の会場で用意されたプロジェクターなどにパソコンを接続してプレゼンテーションを実施する。
【０００３】
ノート型のパソコンは嵩張らず、アタッシュケースや鞄などに入れて携行することが可能であり、出先の会場でパソコンを取り出してプロジェクターなどと接続する。パソコンと周辺機器と電源装置とを接続する作業の負担を軽減するために、パソコンとその周辺機器、その他の電気・電子機器、電源装置などを接続した状態で装填し得る携帯用ケースが提案されている（例えば、特許文献１参照）。
【０００４】
上記の携帯用ケースによってパソコンを携行すれば、出先の会場では、パソコンとプロジェクターとを接続するだけで、その他の接続作業に手間取ることがなく、プレゼンテーションを速やかに開始することが可能である。
【０００５】
また、パソコンとプロジェクターとの接続を迅速化するために、パソコンとプロジェクターとの両方を収納する収納ケースも提案されている（例えば、特許文献２参照）。パソコンもプロジェクターも自己が所有するものであるから、取扱いに習熟しており、両者の接続や調整に手数を要さず、また、両者を予め接続しておくことも可能である。
【先行技術文献】
【特許文献】
【０００６】
【特許文献１】特開平１０−１１２号公報
【特許文献２】特開２００７−２９６２７８号公報
【発明の概要】
【発明が解決しようとする課題】
【０００７】
しかし、特許文献２に記載の収納ケースの場合、パソコンとプロジェクターとを使用するに際し、両者を収納ケースより取り出す作業が必要である。また、プレゼンテーションの終了後は両者を収納ケースに仕舞う作業も必要である。そのうえ、収納ケースは組立式の置き台になっており、その置き台にプロジェクターなどを設置するが、置き台の組立や解体に手間がかかり、迅速性、簡易性に欠けるという問題がある。
【０００８】
この発明は、上記の問題に着目してなされたもので、プレゼンテーションなどの実施に際して、プロジェクターを出し入れする作業を必要とせず、また、投影に際して、プロジェクターの置き台を用意するなどの必要がない携行可能な投影装置を提供することを目的とする。
【課題を解決するための手段】
【０００９】
この発明による投影装置は、スクリーンに投射して映像を表示するものであって、底板部と底板部の外周縁に沿う周壁部と周壁部の外面に設けられる手提げ部とを有するケース体と、前記ケース体の周壁部に開閉可能に取り付けられる蓋体と、前記ケース体内の底板部上に上下変位可能に設けられる支持基板と、前記支持基板上に支持され前記ケース体内の空間に収容可能なプロジェクターと、前記蓋体を開く動作および閉じる動作によって支持基板に引張力および押圧力が作用するように支持基板と蓋体との間を連結する連結アームと、前記プロジェクターの投射がケース体の周壁部によって遮られない高さ位置に前記支持基板を定位させるストッパー機構とを備えてなるものである。
【００１０】
上記した構成の投影装置は、手提げ部を持って例えばプレゼンテーションを行う会場まで携行される。プレゼンテーションの開始に当たり、蓋体を開くと、その開く動作により連結アームを介して支持基板に引張力が作用するので、支持基板が連結アームにより引き上げられて上方へ変位する。プロジェクターの投射がケース体の周壁部によって遮られない高さ位置まで支持基板が上方へ変位すると、ストッパー機構がその高さ位置に支持基板を定位させるので、直ちにプロジェクターによる投影が可能となる。プレゼンテーションの終了後は、蓋体を閉じると、その閉じる動作により連結アームを介して支持基板に押圧力が作用するので、支持基板が連結アームにより押し下げられて下方へ変位する。プロジェクターが蓋体の閉成を妨げない高さ位置まで支持基板を下方へ変位させて、プロジェクターをケース体内に収める。
【００１１】
この発明の上記した構成において、ストッパー機構として種々の形態のものが考えられるが、その一実施形態は、ケース体の底板部と支持基板との間に設けられ、前記支持基板が上方へ変位して所定の高さ位置に達したとき、支持基板の上方への変位を規制して支持基板を定位させるものである。
【００１２】
好ましい実施態様のストッパー機構は、シリンダ内に封入された高圧ガスの圧力をバネ力としてピストンロッドに作用させる一対のガススプリングにより構成されている。各ガススプリングは、シリンダの基端部とピストンロッドの先端部との一方がケース体の底板部の後端部の両側位置に、他方が支持基板の前端部の両側位置に、それぞれ支持されており、前記支持基板の上方への変位によりピストンロッドが最も伸長した状態に達したとき、前記支持基板の変位を規制して支持基板を定位させる。
【００１３】
この実施態様によると、ストッパー機構を構成する各ガススプリングは、支持基板が下がった位置にあるとき、倒れた状態となっており、ガスの圧力は支持基板を押し上げる力として作用しない。
蓋体を開くと、その開く動作により連結アームを介して支持基板に引張力が作用し、支持基板が上方へ変位する。支持基板の上方への変位に従ってガススプリングが起き上がり、ガスの圧力が支持基板を押し上げる力として有効に作用するようになるので、蓋体の開動作が円滑に行われる。
【００１４】
ガススプリングのピストンロッドが最も伸長した状態になると、支持基板の上方への変位が規制されるので、支持基板は所定の高さで定位する。このとき、支持基板にはガススプリングによる押上げ力が作用しているので、支持基板の下方への変位も抑制され、支持基板はプロジェクターを安定した状態で支持し、スクリーン上での映像の揺れが防止される。
【００１５】
次に、蓋体を閉じると、その閉じる動作により連結アームを介して支持基板に押圧力が作用し、支持基板が下方へ変位する。当初、ガススプリングは起き上がっているので、ガスの圧力が支持基板を押し上げる力として作用し、蓋体を閉じるのに抵抗感があるが、支持基板が下方へ変位するに従ってガススプリングが倒れるため、ガスの圧力が支持基板を押し上げる力として作用しなくなり、前記の抵抗感が消失し、蓋体の閉動作が円滑に行われる。
【００１６】
この発明の好ましい実施態様においては、前記支持基板は、支持基板とケース体の底板部との間に設けられる伸縮自在な支持機構により支持されており、前記支持機構は、支持基板を水平姿勢を保った状態で上下方向へ変位させる左右一対のリンク機構により構成されている。
【００１７】
この実施態様によると、プロジェクターは水平姿勢の支持基板上に安定した状態で支持されるので、蓋体の開閉時にプロジェクターが支持基板上で移動するのが防止される。
【００１８】
この発明のさらに好ましい実施態様においては、前記の各連結アームは、端部の一方が支持基板に、他方が蓋体にそれぞれ連結されており、少なくとも一端部が支持基板または蓋体より分離可能となっている。
【００１９】
この実施態様によると、連結アームによる支持基板と蓋体との連結を解除できるので、保守、点検等に際して、蓋体を完全に開放することで、支持基板に対するプロジェクターの積み卸しや電気配線が容易となり、使い勝手および作業効率が向上する。
【００２０】
この発明のさらに好ましい実施態様においては、前記ケース体は、支持基板の下方にプロジェクターの周辺器具を収容する収容空間を有しており、その収容空間に、パソコンよりデータを無線で受信する無線ＬＡＮ装置と、無線ＬＡＮ装置による受信データを視聴可能な信号に変換してプロジェクターに与える信号変換装置とが収納されている。
【００２１】
この実施態様によると、プロジェクターとパソコンとをコード線で接続するなどの作業を必要とせず、速やかにプロジェクターによる投影が可能である。
【００２２】
この発明による他の好ましい投影装置は、上記した構成に加えて、ケース体の外面に、下部にキャスター、上部にハンドルを備えた運搬補助具が着脱自在に取り付けられるものである。
【００２３】
この実施態様によると、ケース体の外面に運搬補助具を装着した後、ハンドルを手に持ち、キャスターを転動させることにより、投影装置の持ち運びが容易となる。撮影時には、運搬補助具はケース体の外面より取り外される。
【発明の効果】
【００２４】
この発明によれば、プレゼンテーションなどの実施に際して、プロジェクターをケース体より出し入れする必要がなく、また、投影に際しては、プロジェクターの置き台を用意する必要もないので、迅速かつ容易にプレゼンテーションを開始しかつ終了することができる。さらに、蓋体を開くことで、プロジェクターがケース体より引き出されて、直ちにプロジェクターの投影が可能な状態となり、また、蓋体を閉じることで、プロジェクターをケース体内に収めることができる。
【図面の簡単な説明】
【００２５】
【図１】この発明の一実施例である投影装置の外観を示す斜視図である。
【図２】キャスター付きのハンドルが装着された状態の投影装置の外観を示す斜視図である。
【図３】蓋体が前開きの状態にある投影装置を示す正面図である。
【図４】蓋体が前開きの状態にある投影装置を示す側面図である。
【図５】蓋体が全開の状態にある投影装置を示す一部を破断した側面図である。
【図６】ケース体内の主要な機構を示す側面図である。
【図７】ケース体内の主要な機構を示す正面図である。
【図８】ケース体内の主要な機構を示す側面図である。
【発明を実施するための形態】
【００２６】
図１および図２は、この発明の一実施例である投影装置１の外観を示すもので、同図は投影装置１を持ち運びするときの形態を示している。この投影装置１は、出先の会場などにおいて、スクリーンに投射して映像を表示するのに用いられるもので、持ち運びに際して、箱形形状の本体部１０の外面に必要に応じて運搬補助具８を装着することができるものである。本体部１０はケース体２と蓋体３とからなり、内部にプロジェクターやその周辺器具などが収納されている。ケース体２には、手提げ部２５と、前記運搬補助具８を着脱可能に装着するための帯板状をなす一対の取付板８５，８６とが設けられている。
【００２７】
運搬補助具８は、左右一対のキャスター８１，８１と、引き出したり収めたりすることが可能なハンドル８２とを備えている。キャスター８１の側を下、ハンドル８２の側を上とすると、ハンドル８２はフレーム８０の上端部に、キャスター８１はフレーム８０の下端部に、それぞれ設けられている。フレーム８０の上下各位置には、ケース体２の前記取付板８５，８６に引っ掛けて係合させる鉤状の係合板８３，８４が設けられている。上側の係合板８３は上方から取付板８５に係合させ、下側の係合板８４は下方から取付板８６に係合させる。下側の係合板８４は上下に摺動可能となっており、バネにより上方へ付勢されている。
【００２８】
本体部１０のケース体２の内部には、図３〜図５に示すように、プロジェクター４が収納されるほか、無線ＬＡＮ装置４２、信号変換装置４３、電源ソケットなどの周辺器具が収納されている。この実施例では、ケース体２および蓋体３は金属製であるが、合成樹脂製、皮革製などであってもよい。なお、図３および図４は蓋体３が前開きの状態にある投影装置１を示し、図５は蓋体３が全開の状態にある投影装置１を示している。
【００２９】
本体部１０は、ケース体２に蓋体３がヒンジ機構３１により開閉可能に取り付けられたもので、以下の説明では、図３および図４に示す設置状態および使用状態において、蓋体３の開閉される側を「前」、ヒンジ機構３１が設けられている側を「後」とする。また、ケース体２と蓋体３とはケース体２が「下」、蓋体３が「上」である。さらに、前後、上下の各方向と直交する方向を「左右」ないしは「両側」とする。
【００３０】
ケース体２は、底板部２０と、底板部２０の外周縁に沿う前壁部２１、後壁部２２、および両側壁部２３，２３とで構成されている。前壁部２１、後壁部２２、および両側壁部２３，２３は同じ高さであり、各コーナー部で連なって周壁部２４を構成している。前壁部２１の外面には手提げ部２５およびロック金具２６，２６が取り付けられている。手提げ部２５は投影装置１を携行するときに手持ちする部分である。ロック金具２６は蓋体３を閉成状態に保持するためのものである。蓋体３を閉じた形態は外観上アタッシュケースと同じ形態となり、手提げ部２５を持って投影装置１を携行することができる。蓋体３は、ケース体２の後壁部２２にヒンジ機構３１により開閉可能に取り付けられており、ケース体２に対して前開きとなる。
【００３１】
ケース体２の内部の底板部２０上には、図６および図７に示すように、金属製の取付基板２７が固定されている。取付基板２７上には支持機構５０を介して支持基板５が上下変位可能に設けられている。支持基板５はケース体２の開口面積より小さい矩形状のものである。支持基板５の上面にプロジェクター４が支持されている。支持基板５は金属製であるが、合成樹脂製であってもよい。支持基板５の下面には金属製または合成樹脂製の棚板５１が取り付けられ、棚板５１上に収容空間が形成されている。この収容空間には、周辺器具である無線ＬＡＮ装置４２、「セットトップボックス」と呼ばれる信号変換装置４３、電源ソケットなどが収納される。
【００３２】
プロジェクター４は光を投射してスクリーンに映像を映し出す機器であり、前側の下面には、プロジェクター４を前上がりの姿勢に設定するための脚部４１が起伏自在に設けられている。無線ＬＡＮ装置４２はプレゼンテーションのための画像や文字のデータをパソコンより無線で受信する。信号変換装置４３は無線ＬＡＮ装置４２による受信データを視聴可能な信号に変換してプロジェクター４に与える。電源ソケットには電源コードが接続され、電源コードのプラグを電源コンセントに差し込むことでプロジェクター４、無線ＬＡＮ装置４２、信号変換装置４３に電源が供給される。
【００３３】
蓋体３の内面には、図３，図５，および図７に示すように、表面が凹凸面のクッション板３２が固着されている。蓋体３を閉じたとき、クッション板３２の表面がプロジェクター４の上面に押し付けられるので、プロジェクター４はクッション板３２が介在した状態で蓋体３と支持基板５との間で保持される。
【００３４】
前記支持機構５０は、支持基板５と底板部２０上の取付基板２７との間に設けられる。この実施例の支持機構５０は、図６〜図８に示すように、左右一対のリンク機構５２，５２により構成されている。各リンク機構５２は、支持基板５の両側端部を水平に支持し、支持基板５を水平姿勢を保った状態で上下方向へ変位させる。
【００３５】
図６および図７は、リンク機構５２が伸びて支持基板５が上方へ変位した状態を示しており、支持基板５はプロジェクター４の投射がケース体２の前壁部２１によって遮られないような高さに位置している。
図８は、リンク機構５２が縮んで支持基板５が下方へ変位した状態を示しており、支持基板５はプロジェクター４が蓋体３の閉成を妨げないような高さに位置しており、プロジェクター４はケース体２内に収まる。
【００３６】
各リンク機構５２は、中央部がピン５７によりＸ字形に連結された第１、第２のリンク５３，５４と、第２のリンク５４の上端部に一端部がピン５８により連結された第３のリンク５５と、第２のリンク５４の下端部に一端部がピン５９により連結された第４のリンク５６とを備えている。第１、第２の各リンク５３，５４はＳ字形をなしている。第１のリンク５３は上端部が支持基板５に固定された金具９１に、下端部が取付基板２７に固定された金具９２に、それぞれピンを介して回動自由に支持されている。また、第３のリンク５５は上端部が支持基板５に固定された金具９３に、第４のリンク５６は下端部が取付基板２７に固定された金具９４に、それぞれピンを介して回動自由に支持されている。
【００３７】
支持基板５の両側端部と蓋体３との間は、蓋体３を開く動作および閉じる動作によって支持基板５に引張力および押圧力が作用するように、左右一対の連結アーム６，６により連結されている。各連結アーム６はＳ字形をなし、その両端部には連結孔６１，６２がそれぞれ形成されている。支持基板５の上面の両側端部には、後端部寄りにピン６４を有する第１の連結金具６３がそれぞれネジ止めされている。また、蓋体３の内面には金属製の取付基板３３が固定され、この取付基板３３の両側端部には、前端部寄りにピン６６を有する第２の連結金具６５がそれぞれネジ止めされている。各連結アーム６の一方の連結孔６１に第１の連結金具６３のピン６４が、他方の連結孔６２に第２の連結金具６５のピン６６が、それぞれ挿入されることにより、連結アーム６の一端部が支持基板５に、他端部が蓋体３に、それぞれ連結される。
【００３８】
各連結アーム６は、少なくとも一端部（この実施例では連結孔６１の側の端部）が支持基板５より分離することが可能となっており、保守、点検等に際して、図５に示すように、蓋体３を全開の状態にすることで、支持基板５に対するプロジェクター４の積み卸しや電気配線が容易となる。なお、図６および図７において、９５は連結孔６１へピン６４を挿入した状態を保持する抜止め用のワッシャであり、このワッシャ９５を外すことにより連結アーム６を支持基板５より外すことができる。
【００３９】
ケース体２の取付基板２７と支持基板５との間には、プロジェクター４の投射がケース体２の前壁部２１によって遮られない高さ位置に支持基板５を定位させるためのストッパー機構７が設けられている。この実施例のストッパー機構７は、左右一対のガススプリング７０，７０により構成されている。各ガススプリング７０は、左右のリンク機構５２の外側に配置されており、一端が支持基板５の前端部に固定された第１の支持金具７３に、他端がケース体２の取付基板２７の後端部に固定された第２の支持金具７４に、それぞれピンを介して回動自由に支持されている。
【００４０】
ガススプリング７０は、シリンダ７１内に封入された高圧ガスの圧力をバネ力としてピストンロッド７２に作用させるもので、図示例では、シリンダ７１の基端部が第１の支持金具７３に、ピストンロッド７２の先端部が第２の支持金具７４に、それぞれ回動自由に支持されているが、これと反対向きで支持されるようにしてもよい。各ガススプリング７０は、蓋体３を開く動作により支持基板５が上方へ変位するに従って起立しつつピストンロッド７２が伸長し、ピストンロッド７２が最も伸長した状態に達したとき、支持基板５の上方への変位を規制し、支持基板５を所定の高さに定位させる。
【００４１】
なお、ストッパー機構７は、プロジェター４の投射がケース体２の周壁部２４によって遮られない高さ位置に支持基板５を定位させることができるものであれば、上記した構成のものに限定されるものではない。
また、上記の実施例は、支持基板５を水平姿勢を保った状態で上方へ変位させて定位させる構成のものであるが、支持基板５を前上がりに傾動させることによって上方へ変位させかつ所定の高さ位置で定位させる構成のものであってもよい。
【００４２】
上記した構成の投影装置１は、手提げ部２５を持って例えばプレゼンテーションを行う会場まで携行される。また、ケース体２の外面に運搬補助具８を装着して運搬することもできる。蓋体３が閉じられた状態では、支持基板５はケース体２内で最も下がった位置にあり、ストッパー機構７を構成する各ガススプリング７０，７０は倒れた状態となっている。このため、各ガススプリング７０内のガスの圧力は支持基板５を押し上げる力として殆ど作用しない。
【００４３】
プレゼンテーションの開始に当たり、蓋体３を開くと、その開く動作により連結アーム６を介して支持基板５に引張力が作用するので、支持基板５は連結アーム６により引き上げられて上方へ変位する。支持基板５の上方への変位に従ってガススプリング７０が起き上がり、ガスの圧力が支持基板５を押し上げる力として作用するようになるので、蓋体３の開動作が円滑に行われる。
【００４４】
プロジェクター４の投射がケース体２の前壁部２１によって遮られない高さ位置まで支持基板５が上方へ変位すると、ストッパー機構７を構成するガススプリング７０はピストンロッド７２が最も伸長した状態となり、これにより支持基板５の上方への変位が規制されるので、支持基板５は所定の高さで定位し、直ちにプロジェクター４による投影が可能となる。このとき、支持基板５にはガススプリング７０による押上げ力が作用しているので、支持基板５の下方への変位が抑制され、支持基板５はプロジェクター４を安定した状態で支持し、スクリーン上での映像の揺れが防止される。
【００４５】
プレゼンテーションの終了後は、蓋体３を閉じると、その閉じる動作により連結アーム６を介して支持基板５に押圧力が作用するので、支持基板５が連結アーム６により押し下げられて下方へ変位する。当初、ガススプリング７０は起き上がっているので、ガスの圧力が支持基板５を押し上げる力として作用し、蓋体３を閉じるのに抵抗感があるが、支持基板５が下方へ変位するに従ってガススプリング７０が倒れてくるため、ガスの圧力が支持基板５を押し上げる力として作用しなくなり、前記の抵抗感が消失し、蓋体３の閉動作が円滑に行われる。そして、プロジェクター４が蓋体３の閉成を妨げない高さ位置まで支持基板５が下方へ変位し、プロジェクター４はケース体２内に収まる。
【符号の説明】
【００４６】
１    投影装置
２    ケース体
３    蓋体
４    プロジェクター
５    支持基板
６    連結アーム
７    ストッパー機構
８    運搬補助具
２０  底板部
２４  周壁部
２５  手提げ部
４２  無線ＬＡＮ装置
４３  信号変換装置
５０  支持機構
５２  リンク機構
７０  ガススプリング
７１  シリンダ
７２  ピストンロッド
８１  キャスター
８２  ハンドル
【図１】
2017097050.tif 000003
【図２】
2017097050.tif 000004
【図３】
2017097050.tif 000005
【図４】
2017097050.tif 000006
【図５】
2017097050.tif 000007
【図６】
2017097050.tif 000008
【図７】
2017097050.tif 000009
【図８】
2017097050.tif 000010